(57)【特許請求の範囲】
【請求項１】
マルチキャリアベースバンドのピーク除去装置であって、
Ｋ個のブランチ、ピーク選択モジュール、誤差信号生成モジュール、及び加算器を含み、
Ｋは１を超える整数であり、
各々のブランチは、遅延器、デジタルアップコンバージョンモジュール、第１数値制御発振器、第１乗算器、第２数値制御発振器、第２乗算器、デジタルダウンコンバージョンモジュール、オフセットパルス生成モジュール、及び減算器を含み、
前記デジタルアップコンバージョンモジュールの入力端及び前記遅延器の入力端は、ベースバンド信号に接続されることに用いられ、
前記デジタルアップコンバージョンモジュールの出力端は、前記第１乗算器の入力端に接続され、
前記第１数値制御発振器の出力端は、前記第１乗算器の入力端に接続され、
前記Ｋ個のブランチの第１乗算器の出力端は、前記加算器の入力端に接続され、
前記加算器の出力端は、前記ピーク選択モジュール及び前記誤差信号生成モジュールに順に接続され、
前記誤差信号生成モジュールの出力端は、前記Ｋ個のブランチの第２乗算器の一方の入力端に接続され、
前記第２数値制御発振器の出力端は、前記第２乗算器の他方の入力端に接続され、
前記第２乗算器の出力端は、前記デジタルダウンコンバージョンモジュール及び前記オフセットパルス生成モジュールに順に接続され、
前記オフセットパルス生成モジュールの出力端は、前記減算器の減数端に接続され、
前記遅延器の出力端は、前記減算器の被減数端に接続され、
前記デジタルアップコンバージョンモジュールは、入力されたベースバンド信号に対してＮ倍アップサンプリング補間フィルタリングを行うように設定され、
前記デジタルダウンコンバージョンモジュールは、入力されたベースバンド信号に対してＮ倍ダウンサンプリング間引きフィルタリングを行うように設定され、
前記第１数値制御発振器は、プリセットの周波数の複素信号を発生させるように設定され、
前記第２数値制御発振器は、前記第１数値制御発振器と同一周波数で、且つ共役の信号を発生させるように設定され、
前記ピーク選択モジュールは、前記加算器により出力される合成信号のうち振幅が予め設定した閾値を超えるピーク信号を選別し、ピーク信号振幅、合成信号位相、及びピーク信号の合成信号における位置情報を出力するように設定され、
前記誤差信号生成モジュールは、前記ピーク信号振幅と前記合成信号位相との積を算出して誤差信号を得て、且つ前記誤差信号及び前記位置情報を出力するように設定され、
前記オフセットパルス生成モジュールは、前記位置情報に基づいて前記位置情報に対応する位置のピーク除去シーケンスを発生させ、且つ入力信号と乗算して出力するように設定される、
ことを特徴とする、マルチキャリアベースバンドのピーク除去装置。
【請求項２】
前記ピーク選択モジュールは、前記ピーク信号振幅、前記合成信号位相、及び前記位置情報を前記誤差信号生成モジュールに出力することによって、ピーク信号振幅、合成信号位相、及びピーク信号の合成信号における位置情報を出力するように設定され、
前記誤差信号生成モジュールは、前記誤差信号を前記第２乗算器に出力し、前記位置情報を前記デジタルダウンコンバージョンモジュールに出力することによって、前記誤差信号及び前記位置情報を出力するように設定され、
前記デジタルダウンコンバージョンモジュールはさらに、前記位置情報を前記オフセットパルス生成モジュールに出力するように設定される、
ことを特徴とする、請求項１に記載のピーク除去装置。
【請求項３】
前記ピーク選択モジュールの出力端は、前記オフセットパルス生成モジュールの入力端に接続され、
前記ピーク選択モジュールは、前記ピーク信号振幅、前記合成信号位相を前記誤差信号生成モジュールに出力し、前記位置情報を前記オフセットパルス生成モジュールに出力することによって、ピーク信号振幅、合成信号位相、及びピーク信号の合成信号における位置情報を出力するように設定される、
ことを特徴とする、請求項１に記載のピーク除去装置。
【請求項４】
前記誤差信号生成モジュールは、実部が前記合成信号位相の余弦関数、虚部が前記合成信号位相の正弦関数である複素数を算出した後、前記複素数と前記ピーク信号振幅との積を算出し、前記誤差信号を得ることによって、前記ピーク信号振幅と前記合成信号位相との積を算出して誤差信号を得るように設定される、
ことを特徴とする、請求項１〜３のいずれか１項に記載のピーク除去装置。
【請求項５】
前記オフセットパルス生成モジュールは、ピーク除去カーネルシーケンスを循環シフトして前記ピーク除去カーネルシーケンスの最大振幅位置を入力信号の位置情報に示される位置に合わせた後、前記入力信号と乗算すること、又は成形パルスを生成して前記入力信号と前記成形パルスを乗算することによって、前記位置情報に対応する位置のピーク除去シーケンスを発生させて入力信号と乗算するように設定される請求項１〜３のいずれか一つに記載のピーク除去装置。
【請求項６】
マルチキャリアベースバンドのピーク除去装置であって、
Ｋ個のブランチ、加算器、ピーク選択モジュール、誤差信号生成モジュール、及びオフセットパルス生成モジュールを含み、
Ｋは１を超える整数であり、
各々のブランチは遅延器、デジタルアップコンバージョンモジュール、第１数値制御発振器、第１乗算器、第２数値制御発振器、第２乗算器、デジタルダウンコンバージョンモジュール、及び減算器を含み、
前記デジタルアップコンバージョンモジュールの入力端と前記遅延器の入力端がベースバンド信号に接続されることに用いられ、
前記デジタルアップコンバージョンモジュールの出力端は、前記第１乗算器の入力端に接続され、
前記第１数値制御発振器の出力端は、前記第１乗算器の入力端に接続され、
前記Ｋ個のブランチの第１乗算器の出力端は、前記加算器の入力端に接続され、
前記加算器の出力端は、前記ピーク選択モジュール、前記誤差信号生成モジュール及び前記オフセットパルス生成モジュールに順に接続され、
前記オフセットパルス生成モジュールの出力端は、前記Ｋ個のブランチの第２乗算器の一方の入力端に接続され、
前記第２数値制御発振器の出力端は、前記第２乗算器の他方の入力端に接続され、
前記第２乗算器の出力端は、前記デジタルダウンコンバージョンモジュールの入力端に接続され、
前記デジタルダウンコンバージョンモジュールの出力端は、前記減算器の減数端に接続され、前記遅延器の出力端が前記減算器の被減数端に接続され、
前記デジタルアップコンバージョンモジュールは、入力されたベースバンド信号に対してＮ倍アップサンプリング補間フィルタリングを行うように設定され、
前記デジタルダウンコンバージョンモジュールは、入力されたベースバンド信号に対してＮ倍ダウンサンプリング間引きフィルタリングを行うように設定され、
前記第１数値制御発振器は、プリセットの周波数の複素信号を発生させるように設定され、
前記第２数値制御発振器は、前記第１数値制御発振器と同一周波数で、且つ共役の信号を発生させるように設定され、
前記ピーク選択モジュールは、前記加算器により出力される合成信号のうち振幅が予め設定した閾値を超えるピーク信号を選別し、ピーク信号振幅、合成信号位相、及びピーク信号の合成信号における位置情報を出力するように設定され、
前記誤差信号生成モジュールは、前記ピーク信号振幅と前記合成信号位相との積を算出して誤差信号を得て、且つ前記誤差信号及び前記位置情報を出力するように設定され、
前記オフセットパルス生成モジュールは、前記位置情報に基づいて前記位置情報に対応する位置のピーク除去シーケンスを発生させ、且つ入力信号と乗算して出力するように設定される
ことを特徴とする、マルチキャリアベースバンドのピーク除去装置。
【請求項７】
前記誤差信号生成モジュールは、実部が前記合成信号位相の余弦関数、虚部が前記合成信号位相の正弦関数である複素数を算出した後、前記複素数と前記ピーク信号振幅との積を算出し、前記誤差信号を得ることによって、前記ピーク信号振幅と前記合成信号位相との積を算出して誤差信号を得るように設定される、
ことを特徴とする、請求項６に記載のピーク除去装置。
【請求項８】
前記オフセットパルス生成モジュールは、ピーク除去カーネルシーケンスを循環シフトして前記ピーク除去カーネルシーケンスの最大振幅位置を入力信号の位置情報に示される位置と合わせた後、前記入力信号と乗算すること、又は成形パルスを生成して前記入力信号と前記成形パルスを乗算することによって、前記位置情報に対応する位置のピーク除去シーケンスを発生させて入力信号と乗算するように設定される、
ことを特徴とする、請求項６に記載のピーク除去装置。
【請求項９】
Ｋは１を超える整数であるＫ個のブランチの各々によってベースバンド信号に対して、Ｎ倍アップサンプリング補間フィルタリングを行ってプリセットの周波数の複素信号を乗算し、前記Ｋ個のブランチにおいて乗算されて得た信号を加算して合成信号を得て、前記合成信号のうち振幅が予め設定した閾値を超えるピーク信号を選別し、ピーク信号振幅、合成信号位相、及びピーク信号の合成信号における位置情報を出力するステップと、
前記ピーク信号振幅と前記合成信号位相との積を算出して誤差信号を得るステップと、
前記Ｋ個のブランチの各々において、前記誤差信号を前記プリセットの周波数の複素信号の共役信号と乗算し、乗算された信号に対してＮ倍ダウンサンプリング間引きフィルタリングを行ってフィルタリング信号を得て、前記位置情報に基づいて前記位置情報に対応する位置のピーク除去シーケンスを発生させて前記フィルタリング信号と乗算して積信号を得て、前記ベースバンド信号を遅延させた後、前記積信号を減算してベースバンドピーク除去信号を得るステップと、
を含むことを特徴とする、マルチキャリアベースバンドのピーク除去方法。
【請求項１０】
１を超える整数であるＫ個のブランチの各々によってベースバンド信号に対してＮ倍アップサンプリング補間フィルタリングを行ってプリセットの周波数の複素信号と乗算し、前記Ｋ個のブランチにおいて乗算されて得た信号を加算して合成信号を得て、前記合成信号のうち振幅が予め設定した閾値を超えるピーク信号を選別し、ピーク信号振幅、合成信号位相、及びピーク信号の合成信号における位置情報を出力するステップと、
前記ピーク信号振幅と前記合成信号位相との積を算出して誤差信号を得るステップと、
前記位置情報に基づいて前記位置情報に対応する位置のピーク除去シーケンスを発生させて前記誤差信号と乗算して積信号を得るステップと、
Ｋ個のブランチの各々において、前記積信号を前記プリセットの周波数の複素信号の共役信号と乗算し、乗算された信号に対してＮ倍ダウンサンプリング間引きフィルタリングを行ってフィルタリング信号を得て、前記ベースバンド信号を遅延させた後、前記フィルタリング信号を減算してベースバンドピーク除去信号を得るステップと、
を含むことを特徴とする、マルチキャリアベースバンドのピーク除去方法。
【発明の詳細な説明】
【技術分野】
【０００１】
本発明は移動通信技術に関し、特にマルチキャリアベースバンドのピーク除去装置及び方法に関する。
【背景技術】
【０００２】
移動通信技術の急速な発展につれて、移動通信は人々の日常の仕事と生活に不可欠なツールとなる。基地局にとって、どのように比較的高い電力増幅器効率を確保するかは肝心な問題であり、そのうち、どのようにベースバンド信号の信号ピーク対平均電力比を低減させるかは重要な点の１つである。
【発明の概要】
【発明が解決しようとする課題】
【０００３】
本発明の実施例はマルチキャリアベースバンドのピーク除去装置及び方法を提供し、ベースバンド信号のピーク対平均電力比を低減させるニーズの問題を解決する。
【課題を解決するための手段】
【０００４】
本発明の実施例はマルチキャリアベースバンドのピーク除去装置を提供し、Ｋ個のブランチ、ピーク選択モジュール、誤差信号生成モジュール、及び加算器を含み、
Ｋは１を超える整数であり、各々のブランチは、遅延器、デジタルアップコンバージョンモジュール、第１数値制御発振器、第１乗算器、第２数値制御発振器、第２乗算器、デジタルダウンコンバージョンモジュール、オフセットパルス生成モジュール、及び減算器を含み、
前記デジタルアップコンバージョンモジュールの入力端と遅延器の入力端はベースバンド信号に接続されることに用いられ、前記デジタルアップコンバージョンモジュールの出力端が前記第１乗算器の入力端に接続され、前記第１数値制御発振器の出力端が第１乗算器の入力端に接続され、Ｋ個のブランチの第１乗算器の出力端が加算器の入力端に接続され、加算器の出力端が前記ピーク選択モジュール及び誤差信号生成モジュールに順に接続され、誤差信号生成モジュールの出力端がＫ個のブランチの第２乗算器の一方の入力端に接続され、第２数値制御発振器の出力端が第２乗算器の他方の入力端に接続され、第２乗算器の出力端がデジタルダウンコンバージョンモジュール及びオフセットパルス生成モジュールに順に接続され、オフセットパルス生成モジュールの出力端が前記減算器の減数端に接続され、及び前記遅延器の出力端が前記減算器の被減数端に接続され、
前記デジタルアップコンバージョンモジュールは、入力されたベースバンド信号に対してＮ倍アップサンプリング補間フィルタリングを行うように設定され、
前記デジタルダウンコンバージョンモジュールは、入力されたベースバンド信号に対してＮ倍ダウンサンプリング間引きフィルタリングを行うように設定され、
前記第１数値制御発振器は、プリセットの周波数の複素信号を発生させるように設定され、
前記第２数値制御発振器は、前記第１数値制御発振器と同一周波数の共役信号を発生させるように設定され、
前記ピーク選択モジュールは、加算器により出力される合成信号のうち振幅が予め設定した閾値を超えるピーク信号を選別し、且つピーク信号振幅、合成信号位相、及びピーク信号の合成信号における位置情報を出力するように設定され、
前記誤差信号生成モジュールは、ピーク信号振幅と合成信号位相との積を算出して誤差信号を得て、且つ前記誤差信号及び前記位置情報を出力するように設定され、
前記オフセットパルス生成モジュールは、前記位置情報に基づいて前記位置情報に対応する位置のピーク除去シーケンスを発生させ、且つ入力信号と乗算して出力するように設定される。
【０００５】
さらに、前記装置は、
前記ピーク選択モジュールは、前記ピーク信号振幅、前記合成信号位相、及び前記位置情報を前記誤差信号生成モジュールに出力することによって、ピーク信号振幅、合成信号位相、及びピーク信号の合成信号における位置情報を出力するように設定され、
前記誤差信号生成モジュールは、前記誤差信号を前記第２乗算器に出力し、前記位置情報を前記デジタルダウンコンバージョンモジュールに出力することによって、前記誤差信号及び前記位置情報を出力するように設定され、
前記デジタルダウンコンバージョンモジュールはさらに、前記位置情報を前記オフセットパルス生成モジュールに出力するように設定されることを特徴とすればよい。
【０００６】
さらに、前記装置は、
前記ピーク選択モジュールの出力端は前記オフセットパルス生成モジュールの入力端に接続され、
前記ピーク選択モジュールは、前記ピーク信号振幅、合成信号位相を前記誤差信号生成モジュールに出力し、前記位置情報を前記オフセットパルス生成モジュールに出力することによって、ピーク信号振幅、合成信号位相、及びピーク信号の合成信号における位置情報を出力するように設定されることを特徴とすればよい。
【０００７】
さらに、前記装置は、
前記誤差信号生成モジュールは、実部が前記合成信号位相の余弦関数、虚部が前記合成信号位相の正弦関数である複素数を算出した後、この複素数と前記ピーク信号振幅との積を算出して誤差信号を得ることによって、前記ピーク信号振幅と前記合成信号位相との積を算出して誤差信号を得るように設定されることを特徴とすればよい。
【０００８】
さらに、前記装置は、
前記オフセットパルス生成モジュールは、ピーク除去カーネルシーケンスを循環シフトしてピーク除去カーネルシーケンスの最大振幅位置を入力信号の位置情報に示される位置に合わせた後、入力信号と乗算すること、又は成形パルスを生成して入力信号と成形パルスを乗算することによって、前記位置情報に対応する位置のピーク除去シーケンスを発生させて入力信号と乗算するように設定されることを特徴とすればよい。
【０００９】
本発明の実施例はさらにマルチキャリアベースバンドのピーク除去装置を提供し、Ｋ個のブランチ、加算器、ピーク選択モジュール、誤差信号生成モジュール、及びオフセットパルス生成モジュールを含み、
Ｋは１を超える整数であり、各々のブランチは、遅延器、デジタルアップコンバージョンモジュール、第１数値制御発振器、第１乗算器、第２数値制御発振器、第２乗算器、デジタルダウンコンバージョンモジュール、及び減算器を備え、
前記デジタルアップコンバージョンモジュールの入力端と遅延器の入力端はベースバンド信号に接続されることに用いられ、前記デジタルアップコンバージョンモジュールの出力端が前記第１乗算器の入力端に接続され、前記第１数値制御発振器の出力端が第１乗算器の入力端に接続され、Ｋ個のブランチの第１乗算器の出力端が加算器の入力端に接続され、加算器の出力端が前記ピーク選択モジュール、誤差信号生成モジュール及びオフセットパルス生成モジュールに順に接続され、オフセットパルス生成モジュールの出力端がＫ個のブランチの第２乗算器の一方の入力端に接続され、第２数値制御発振器の出力端が第２乗算器の他方の入力端に接続され、第２乗算器の出力端がデジタルダウンコンバージョンモジュールの入力端に接続され、デジタルダウンコンバージョンモジュールの出力端が前記減算器の減数端に接続され、前記遅延器の出力端が前記減算器の被減数端に接続され、
前記デジタルアップコンバージョンモジュールは、入力されたベースバンド信号に対してＮ倍アップサンプリング補間フィルタリングを行うように設定され、
前記デジタルダウンコンバージョンモジュールは、入力されたベースバンド信号に対してＮ倍ダウンサンプリング間引きフィルタリングを行うように設定され、
前記第１数値制御発振器は、プリセットの周波数の複素信号を発生させるように設定され、
前記第２数値制御発振器は、前記第１数値制御発振器と同一周波数の共役信号を発生させるように設定され、
前記ピーク選択モジュールは、加算器により出力される合成信号のうち振幅が予め設定した閾値を超えるピーク信号を選別し、且つピーク信号振幅、合成信号位相、及びピーク信号の合成信号における位置情報を出力するように設定され、
前記誤差信号生成モジュールは、ピーク信号振幅と合成信号位相との積を算出して誤差信号を得て、且つ前記誤差信号及び前記位置情報を出力するように設定され、
前記オフセットパルス生成モジュールは、前記位置情報に基づいて前記位置情報に対応する位置のピーク除去シーケンスを発生させ、且つ入力信号と乗算して出力するように設定される。
【００１０】
さらに、前記装置は、
前記誤差信号生成モジュールは、実部が前記合成信号位相の余弦関数、虚部が前記合成信号位相の正弦関数である複素数を算出した後、この複素数と前記ピーク信号振幅との積を算出して誤差信号を得ることによって、前記ピーク信号振幅と前記合成信号位相との積を算出して誤差信号を得るように設定されることを特徴とすればよい。
【００１１】
さらに、前記装置は、
前記オフセットパルス生成モジュールは、ピーク除去カーネルシーケンスを循環シフトしてピーク除去カーネルシーケンスの最大振幅位置を入力信号の位置情報に示される位置に合わせた後、入力信号と乗算すること、又は成形パルスを生成して入力信号と成形パルスを乗算することによって、前記位置情報に対応する位置のピーク除去シーケンスを発生させて入力信号と乗算するように設定されることを特徴とすればよい。
【００１２】
本発明の実施例はさらにマルチキャリアベースバンドのピーク除去方法を提供し、
Ｋ個のブランチの各々によってベースバンド信号に対してＮ倍アップサンプリング補間フィルタリングを行ってプリセットの周波数の複素信号を乗算し、Ｋは１を超える整数であり、Ｋ個のブランチにおいて乗算されて得た信号を加算して合成信号を得て、合成信号のうち振幅が予め設定した閾値を超えるピーク信号を選別し、且つピーク信号振幅、合成信号位相、及びピーク信号の合成信号における位置情報を出力することと、
ピーク信号振幅と合成信号位相との積を算出して誤差信号を得ることと、
Ｋ個のブランチの各々において、それぞれ前記誤差信号を前記プリセットの周波数の複素信号の共役信号と乗算し、乗算された信号に対してＮ倍ダウンサンプリング間引きフィルタリングを行ってフィルタリング信号を得て、前記位置情報に基づいて前記位置情報に対応する位置のピーク除去シーケンスを発生させてこのフィルタリング信号と乗算して積信号を得て、前記ベースバンド信号を遅延させた後、前記積信号を減算してベースバンドピーク除去信号を得ることと、を含む。
【００１３】
本発明の実施例はさらにマルチキャリアベースバンドのピーク除去方法を提供し、
Ｋ個のブランチの各々によってベースバンド信号に対してＮ倍アップサンプリング補間フィルタリングを行ってプリセットの周波数の複素信号を乗算し、Ｋは１を超える整数であり、Ｋ個のブランチにおいて乗算されて得た信号を加算して合成信号を得て、合成信号のうち振幅が予め設定した閾値を超えるピーク信号を選別し、且つピーク信号振幅、合成信号位相、及びピーク信号の合成信号における位置情報を出力することと、
ピーク信号振幅と合成信号位相との積を算出して誤差信号を得ることと、
前記位置情報に基づいて前記位置情報に対応する位置のピーク除去シーケンスを発生させて前記誤差信号と乗算して積信号を得ることと、
Ｋ個のブランチの各々において、前記積信号を前記プリセットの周波数の複素信号の共役信号と乗算し、乗算された信号に対してＮ倍ダウンサンプリング間引きフィルタリングを行ってフィルタリング信号を得て、前記ベースバンド信号を遅延させた後、前記フィルタリング信号を減算してベースバンドピーク除去信号を得ることと、を含む。
【発明の効果】
【００１４】
本発明によれば、マルチキャリアへのサポートを実現し、効果的にベースバンド出力信号のピーク対平均電力比を低減させることができる。本発明に係るベースバンドピーク除去手段によれば、中間周波数ピーク除去の負荷を解消し、それにより全体のピーク除去性能を向上させることができる。
【図面の簡単な説明】
【００１５】
【図１】本発明の実施例に係るマルチキャリアベースバンドのピーク除去装置の構成図である。
【図２】本発明の実施例に係るデジタルアップコンバージョンモジュールの模式図である。
【図３】本発明の実施例に係るピーク選択モジュールの模式図である。
【図４】本発明の実施例に係る誤差信号生成モジュールの模式図である。
【図５】本発明の実施例に係るデジタルダウンコンバージョンモジュールの模式図である。
【図６】本発明の実施例に係るオフセットパルス生成モジュールの一模式図である。
【図７】本発明の実施例に係るオフセットパルス生成モジュールの別の一模式図である。
【図８】本発明の実施例の手段に係るマルチキャリアベースバンドのピーク除去装置の別の一構成図である。
【発明を実施するための形態】
【００１６】
以下、図面を参照しながら本発明の実施例を詳細に説明する。ただし、衝突しない場合、本願の実施例及び実施例における特徴を任意に組み合わせることができる。
【００１７】
図１に示されるように、マルチキャリアベースバンドのピーク除去装置はＫ個のブランチを含む。Ｋは１を超える整数である。各々のブランチは遅延器１０１、デジタルアップコンバージョンモジュール１０２、第１数値制御発振器１０３、第１乗算器１０４、第２数値制御発振器１０５、第２乗算器１０６、デジタルダウンコンバージョンモジュール１０７、オフセットパルス生成モジュール１０８、及び減算器１０９を含み、本装置はさらに加算器１１１、ピーク選択モジュール１１２、及び誤差信号生成モジュール１１３を含む。
【００１８】
各々のブランチにおいて、デジタルアップコンバージョンモジュール１０２と遅延器１０１の入力端はベースバンド信号に接続されることに用いられる。デジタルアップコンバージョンモジュール１０２の出力端が第１乗算器１０４の入力端に接続され、第１数値制御発振器１０３の出力端が第１乗算器１０４の入力端に接続され、Ｋ個のブランチの第１乗算器１０４の出力端が加算器１１１の入力端に接続され、加算器１１１の出力端がピーク選択モジュール１１２及び誤差信号生成モジュール１１３に順に接続され、誤差信号生成モジュール１１３の出力端がＫ個のブランチの第２乗算器１０６の一方の入力端に接続され、各々のブランチにおいて第２数値制御発振器１０５の出力端が第２乗算器１０６の他方の入力端に接続され、第２乗算器１０６の出力端がデジタルダウンコンバージョンモジュール１０７及びオフセットパルス生成モジュール１０８に順に接続され、オフセットパルス生成モジュール１０８の出力端が減算器１０９の減数端に接続され、遅延器１０１の出力端が減算器１０９の被減数端に接続される。
【００１９】
デジタルアップコンバージョンモジュール１０２は、入力されたベースバンド信号に対してＮ倍アップサンプリング補間フィルタリングを行うことに用いられ、
デジタルダウンコンバージョンモジュール１０７は、入力されたベースバンド信号に対してＮ倍ダウンサンプリング間引きフィルタリングを行うことに用いられ、
第１数値制御発振器１０３は、プリセットの周波数の複素信号を発生させることに用いられ、
第２数値制御発振器１０５は、第１数値制御発振器１０３と同一周波数の共役信号を発生させることに用いられ、
ピーク選択モジュール１１２は、加算器１１１により出力される合成信号のうち振幅が予め設定した閾値を超えるピーク信号を選別し、且つピーク信号振幅、合成信号位相、及びピーク信号の合成信号における位置情報を出力することに用いられ、
誤差信号生成モジュール１１３は、ピーク信号振幅と合成信号位相との積を算出して誤差信号を得て、且つ誤差信号及び位置情報を出力することに用いられ、
オフセットパルス生成モジュール１０８は、上記位置情報に基づいて位置情報に対応する位置のピーク除去シーケンスを発生させ、入力信号と乗算して出力することに用いられる。
【００２０】
ピーク選択モジュール１１２は、前記ピーク信号、ピーク信号振幅、合成信号位相、及び前記位置情報を前記誤差信号生成モジュール１１３に出力することに用いられ、誤差信号生成モジュール１１３は、前記誤差信号を前記第２乗算器１０６に出力し、前記位置情報をデジタルダウンコンバージョンモジュール１０７に出力することに用いられ、デジタルダウンコンバージョンモジュール１０７はさらに前記位置情報をオフセットパルス生成モジュール１０８に出力することに用いられる。又は、ピーク選択モジュール１１２の出力端が各オフセットパルス生成モジュール１０８の入力端に接続され、ピーク選択モジュール１１２はピーク信号振幅、合成信号位相を誤差信号生成モジュール１１３に出力し、位置情報をオフセットパルス生成モジュール１０８に出力することに用いられる。
【００２１】
図２に示されるように、デジタルアップコンバージョンモジュール１０２は成形フィルタ２０１、Ｎ倍アップサンプリングモジュール２０２、及び複数の補間フィルタ２０３を含む。成形フィルタ２０１は、入力信号に対してパルスを形成することに用いられる。Ｎ倍アップサンプリングモジュール２０２は信号サンプリングレートをＮ倍増加させることに用いられる。補間フィルタ２０３はミラー信号を除去することに用いられる。信号はデジタルアップコンバージョンモジュール１０２を通過した後、ベースバンドキャリア信号が補間され、Ｎ倍サンプリングレートになるようにフィルタリングする。
【００２２】
第１数値制御発振器１０３は、実部が余弦波、虚部が正弦信号である所定周波数の複素信号を発生させることに用いられる。デジタルアップコンバージョンモジュール１０２の出力データを第１数値制御発振器１０３の出力データと乗算することによって周波数領域シフトの目的を達成する。Ｋ個のブランチの信号を加算することによって、周波数領域にＫ個のキャリアを区分することができる。
【００２３】
図３に示されるように、ピーク選択モジュール１１２は振幅位相算出モジュール３０１、振幅比較モジュール３０２、及びピーク振幅算出モジュール３０３を含む。振幅位相算出モジュール３０１は複素数形式の信号に基づいて信号振幅、位相を算出することに用いられる。振幅比較モジュール３０２は、信号振幅を予め設定した閾値と比較することに用いられ、閾値を超えると、ピーク振幅算出モジュール３０３により出力されるピーク振幅が信号振幅から閾値を減算した値となり、閾値以下であると、ピーク振幅算出モジュール３０３により出力されるピーク振幅がゼロとなる。
【００２４】
図４に示されるように、誤差信号生成モジュール１１３は、実部が位相角の余弦関数、虚部が位相角の正弦関数である複素数として位相角を算出することに用いられる位相算出モジュール４０１と、位相算出モジュール４０１により出力される複素数を入力信号と乗算して誤差信号を算出することに用いられる乗算器４０２と、を含む。
【００２５】
図５に示されるように、デジタルダウンコンバージョンモジュール１０７は、アンチエイリアシングすることに用いられる間引きフィルタ５０１と、信号サンプリングレートをＮ倍低減させて、元の信号サンプリングレートに復元することに用いられるＮ倍ダウンサンプリングモジュール５０２と、を含む。
【００２６】
オフセットパルス生成モジュール１０８は、異なる方式、例えば、図６の無損失方式及び図７の損失方式によって実現されてもよい。
【００２７】
図６に示されるように、オフセットパルス生成モジュール１０８は、ピーク除去カーネルシーケンスを循環シフトしてピーク除去カーネルシーケンスの最大振幅位置を入力信号の位置情報に示される位置に合わせることに用いられるピーク除去カーネル循環シフトモジュール６０１と、ピーク除去カーネル循環シフトモジュール６０１の信号を入力信号と乗算してオフセットパルスシーケンスを得ることに用いられる乗算器６０２と、を含む。
【００２８】
図７に示されるように、オフセットパルス生成モジュール１０８は、成形パルスを生成することに用いられる誤差信号成形パルスモジュール７０１と、生成された成形パルスを入力信号と乗算してオフセットパルスシーケンスを得ることに用いられる乗算器７０２と、を含む。
【００２９】
本装置の構造に基づいて、マルチキャリアベースバンドのピーク除去方法は、Ｋ個のブランチの各々によってベースバンド信号に対してＮ倍アップサンプリング補間フィルタリングを行ってプリセットの周波数の複素信号を乗算する。ここで、Ｋは１を超える整数である。Ｋ個のブランチにおいて乗算されて得た信号を加算して合成信号を得て、合成信号のうち振幅が予め設定した閾値を超えるピーク信号を選別し、且つピーク信号振幅、合成信号位相、及びピーク信号の合成信号における位置情報を出力する。ピーク信号振幅と合成信号位相との積を算出して誤差信号を得る。Ｋ個のブランチの各々において、前記誤差信号を前記プリセットの周波数の複素信号の共役信号と乗算し、乗算された信号に対してＮ倍ダウンサンプリング間引きフィルタリングを行ってフィルタリング信号を得る。前記位置情報に基づいて位置情報に対応する位置のピーク除去シーケンスを発生させ、このフィルタリング信号と乗算して積信号を得る。前記ベースバンド信号を遅延させた後、前記積信号を減算してベースバンドピーク除去信号を得る。
【００３０】
図８に示されるように、別のマルチキャリアベースバンドのピーク除去装置は、Ｋ個のブランチを含む。Ｋは１を超える整数である。各々のブランチは遅延器８０１、デジタルアップコンバージョンモジュール８０２、第１数値制御発振器８０３、第１乗算器８０４、第２数値制御発振器８０５、第２乗算器８０６、デジタルダウンコンバージョンモジュール８０７、及び減算器８０８を含む。本装置はさらに加算器８１１、ピーク選択モジュール８１２、誤差信号生成モジュール８１３、及びオフセットパルス生成モジュール８１４を含む。
【００３１】
各々のブランチにおいて、デジタルアップコンバージョンモジュール８０２と遅延器８０１の入力端はベースバンド信号に接続されることに用いられ、デジタルアップコンバージョンモジュール８０２の出力端が第１乗算器８０４の入力端に接続され、第１数値制御発振器８０３の出力端が第１乗算器８０４の入力端に接続され、Ｋ個のブランチの第１乗算器８０４の出力端が加算器８１１の入力端に接続され、加算器８１１の出力端がピーク選択モジュール８１２、誤差信号生成モジュール８１３、及びオフセットパルス生成モジュール８１４に順に接続され、オフセットパルス生成モジュール８１４の出力端がＫ個のブランチの第２乗算器８０６の一方の入力端に接続され、各々のブランチの第２数値制御発振器８０５の出力端が第２乗算器８０６の他方の入力端に接続され、第２乗算器８０６の出力端がデジタルダウンコンバージョンモジュール８０７の入力端に接続され、デジタルダウンコンバージョンモジュール８０７の出力端が減算器８０８の減数端に接続され、遅延器８０１の出力端が減算器８０８の被減数端に接続される。
【００３２】
デジタルアップコンバージョンモジュール８０２は、入力されたベースバンド信号に対してＮ倍アップサンプリング補間フィルタリングを行うことに用いられ、
デジタルダウンコンバージョンモジュール８０７は、入力されたベースバンド信号に対してＮ倍ダウンサンプリング間引きフィルタリングを行うことに用いられ、
第１数値制御発振器８０３は、プリセットの周波数の複素信号を発生させることに用いられ、
第２数値制御発振器８０５は、前記第１数値制御発振器と同一周波数の共役信号を発生させることに用いられ、
ピーク選択モジュール８１２は、加算器８１１により出力される合成信号のうち振幅が予め設定した閾値を超えるピーク信号を選別し、且つピーク信号振幅、合成信号位相、及びピーク信号の合成信号における位置情報を出力することに用いられ、
誤差信号生成モジュール８１３は、ピーク信号振幅と合成信号位相との積を算出して誤差信号を得て、且つ誤差信号及び位置情報を出力することに用いられ、
オフセットパルス生成モジュール８１４は、入力信号の位置情報に基づいて位置情報に対応する位置のピーク除去シーケンスを発生させて入力信号と乗算して出力することに用いられる。
【００３３】
本装置において、マルチキャリアベースバンドのピーク除去方法は、Ｋ個のブランチの各々によってベースバンド信号に対してＮ倍アップサンプリング補間フィルタリングを行ってプリセットの周波数の複素信号を乗算する。ここで、Ｋは１を超える整数である。Ｋ個のブランチにおいて乗算されて得た信号を加算して合成信号を得て、合成信号のうち振幅が予め設定した閾値を超えるピーク信号を選別し、且つピーク信号振幅、合成信号位相、及びピーク信号の合成信号における位置情報を出力する。ピーク信号振幅と合成信号位相との積を算出して誤差信号を得る。前記位置情報に基づいて位置情報に対応する位置のピーク除去シーケンスを発生させ、前記誤差信号と乗算して積信号を得る。Ｋ個のブランチの各々において、前記積信号を前記プリセットの周波数の複素信号の共役信号と乗算し、乗算された信号に対してＮ倍ダウンサンプリング間引きフィルタリングを行ってフィルタリング信号を得る。前記ベースバンド信号を遅延させた後、前記フィルタリング信号を減算してベースバンドピーク除去信号を得る。
【００３４】
各モジュールの構造及び機能は図１に示される装置の説明と同様であり、ここで重複説明を省略する。図１及び図８の装置の主な相違点は、オフセットパルス生成モジュールの位置が異なることである。図１のパルスオフセット生成モジュールは低サンプリングレートで実現され、図８のパルスオフセット生成モジュールは高サンプリングレートで実現されるが、両者の実現プロセスは完全に同様である。両図を比較すると、図１における低サンプリングレートでの達成方式がより好ましい。
【００３５】
本手段に係るベースバンドピーク除去技術によれば、従来の中間周波数ピーク除去技術と組み合わせて、完全な基地局ピーク除去技術を作成することができる。
【００３６】
勿論、本発明は、他の様々な実施例を有してもよく、本発明の趣旨及びその本質を逸脱せずに、当業者は、本発明の実施例に基づいて各種の相応の変更や変形を行うことができ、それらの相応な変更や変形は本発明の請求の範囲の保護範囲に属すべきである。
【００３７】
当業者にとって、上記方法のステップの全部又は一部は、プログラムにより関連ハードウェアにコマンドを出して行われてもよく、前記プログラムはコンピュータ読み取り可能な記録媒体、例えば、読み出し専用メモリ、フロッピー（登録商標）ディスク又は光ディスクなどに記憶されてもよい。選択的に、上記実施例のステップのすべて又は一部は、１つの又は複数の集積回路によって実現されてもよい。それに対して、上記実施例における各モジュール／ユニットはハードウェアの形態で実現されてもよく、ソフトウェア機能モジュールの形態で実現されてもよい。本発明の実施例はいずれかの特定の形態のハードウェア及びソフトウェアの組み合わせに限定されない。
【産業上の利用可能性】
【００３８】
本発明の実施例において、効果的にベースバンド出力信号のピーク対平均電力比を低減させることができ、中間周波数ピーク除去の負荷を解消し、それにより全体のピーク除去性能を向上させることができる。
【図１】
0005941228.tif 000002
【図２】
0005941228.tif 000003
【図３】
0005941228.tif 000004
【図４】
0005941228.tif 000005
【図５】
0005941228.tif 000006
【図６】
0005941228.tif 000007
【図７】
0005941228.tif 000008
【図８】
0005941228.tif 000009